(57)【要約】【課題】動画を記録再生できるデジタルスチルカメラの多機能化と小型化及び高い操作性を実現する。【解決手段】タッチパネル１１０上のユーザの指先によるなぞり操作の方向及び速度が判断され、該方向及び速度に応じた動画再生処理が実行される。例えば、左から右、または右から左の長く、早いなぞり操作に応答して、動画像の早送り・巻戻し再生が実行される。【選択図】　　図６
2004104594.tif 000002
【特許請求の範囲】
【請求項１】
光学像を電気信号に変換する撮影手段と、
前記撮影手段によって得られた動画像を動画ファイルとして記憶媒体に記録する記録手段と、
前記記録手段により記録された動画像を再生する再生手段と、
前記再生手段により再生された動画像を表示する表示部と、
前記表示部の表示面を覆うようにして設けられ、ユーザ指示を入力するためのタッチパネルと、
前記記憶媒体に記録された前記動画ファイルに対応する第１のパターンを前記表示部に表示する第１のパターン表示手段と、
前記動画ファイルにおける現在の動画表示位置を示す第２のパターンを、前記第１のパターン上に表示する第２のパターン表示手段と、
前記第１のパターン上におけるユーザのタッチ操作を検知し、該タッチ操作に対応して前記再生手段による動画再生を制御する制御手段と、
を具備することを特徴とするデジタルスチルカメラ。
【請求項２】
前記制御手段は、動画像の標準再生時、前記第１のパターン上の任意の位置におけるタッチ操作を検知すると、前記動画ファイル内の該接触位置に対応する画像フレームから動画再生を開始することを特徴とする請求項１記載のデジタルスチルカメラ。
【請求項３】
前記制御手段は、動画像の標準再生時、前記第２のパターン上におけるユーザによるなぞり操作を検知すると、該なぞり操作の方向に応じて動画の早送り・早戻し再生を実行することを特徴とする請求項１記載のデジタルスチルカメラ。
【請求項４】
前記制御手段は、動画像の一時停止時、前記第１のパターン上の任意の位置におけるタッチ操作を検知すると、前記動画ファイル内の該接触位置に対応する画像フレームを静止画として再生することを特徴とする請求項１記載のデジタルスチルカメラ。
【請求項５】
前記第１及び第２の表示手段は前記タッチパネル上のタッチ操作が所定期間検知されない場合、前記第１及び第２のパターンの表示を中止し、その後のタッチ操作に応答して表示を再開することを特徴とする請求項１記載のデジタルスチルカメラ。
【請求項６】
光学像を電気信号に変換する撮影手段と、
前記撮影手段によって得られた動画像を動画ファイルとして記憶媒体に記録する記録手段と、
前記記録手段により記録された動画像を再生する再生手段と、
前記再生手段により再生された動画を表示する表示部と、
前記表示手段の表示面を覆うようにして設けられ、ユーザ指示を入力するためのタッチパネルと、
前記タッチパネル上のユーザによるなぞり操作を検知する検知手段と、
前記検知手段により検知された前記なぞり操作の方向及び速度を判断し、該方向及び速度に応じた再生処理を決定し、前記再生手段による動画再生を制御する制御手段と、
を具備することを特徴とするデジタルスチルカメラ。
【請求項７】
前記制御手段は、前記タッチパネル上における左から右、または右から左の長く、早いなぞり操作に応答して、動画像の早送り・巻戻し再生を実行することを特徴とする請求項６記載のデジタルスチルカメラ。
【請求項８】
前記制御手段は、前記タッチパネル上における左から右、または右から左の長く、遅いなぞり操作に応答して、動画像のスロー再生・スロー逆再生を実行することを特徴とする請求項６に記載のデジタルスチルカメラ。
【請求項９】
前記制御手段は、前記タッチパネル上における左から右、または右から左の短く、早いなぞり操作に応答して、動画像の倍速再生・倍速逆再生を実行することを特徴とする請求項６に記載のデジタルスチルカメラ。
【請求項１０】
前記制御手段は、前記タッチパネル上における左から右、または右から左の短く、遅いなぞり操作に応答して、動画像のコマ送り再生・逆コマ送り再生を実行することを特徴とする請求項６に記載のデジタルスチルカメラ。
【請求項１１】
前記制御手段は、前記タッチパネル上の任意の１点における短時間のタッチ入力に応答して、実行中の前記方向及び速度に応じた処理を解除し、標準動画再生を実行することを特徴とする請求項６乃至１０の１項に記載のデジタルスチルカメラ。
【請求項１２】
前記制御手段は、前記検知手段により検知された前記なぞり操作に続き、位置の変化しないタッチ操作が検出された場合、前記方向及び速度に応じた再生処理を前記タッチ操作を検出している間継続して実行し、該タッチ操作が検出されなくなった場合、前記方向及び速度に応じた再生処理を解除することを特徴とする請求項６乃至１０記載のデジタルスチルカメラ。
【請求項１３】
前記制御手段は、前記方向及び速度に応じた再生処理が前記再生手段により開始された後、前記検出手段により前記タッチパネル上の任意の位置におけるタッチ操作が検出されている間、前記方向及び速度に応じた再生処理が継続して実行されるよう前記再生手段を制御することを特徴とする請求項１２記載のデジタルスチルカメラ。
【請求項１４】
前記制御手段は標準動画再生時、前記タッチパネル上の任意の１点における短時間のタッチ入力に応答して、実行中の前記標準動画再生を一時停止し、前記動画ファイル上の一時停止位置に対応する静止画を再生することを特徴とする請求項１乃至１３の１項に記載のデジタルスチルカメラ。
【請求項１５】
光学像を電気信号に変換する撮影手段と、前記撮影手段によって得られた動画像を動画ファイルとして記憶媒体に記録する記録手段と、前記記録手段により記録された動画像を再生する再生手段と、前記再生手段により再生された動画を表示する表示部と、前記表示部の表示面を覆うようにして設けられ、ユーザ指示を入力するためのタッチパネルとを備えたデジタルスチルカメラにおける、ユーザ指示を入力する方法であって、
前記記憶媒体に記録された前記動画ファイルに対応する第１のパターンを前記表示部に表示するステップと、
前記動画ファイルにおける現在の動画表示位置を示す第２のパターンを、前記第１のパターン上に表示するステップと、
前記第１のパターン上におけるユーザのタッチ操作を検知し、該タッチ操作に対応して前記再生手段による動画再生を制御するステップ、
を具備することを特徴とするユーザ指示入力方法。
【請求項１６】
光学像を電気信号に変換する撮影手段と、前記撮影手段によって得られた動画像を動画ファイルとして記憶媒体に記録する記録手段と、前記記録手段により記録された動画像を再生する再生手段と、前記再生手段により再生された動画を表示する表示部と、前記表示手段の表示面を覆うようにして設けられ、ユーザ指示を入力するためのタッチパネルとを備え、
前記再生手段が動画像の早送り・巻戻し再生、スロー再生・スロー逆再生、倍速再生・倍速逆再生、コマ送り再生・逆コマ送り再生の少なくとも１の再生機能を具備するデジタルスチルカメラにおける、ユーザ指示を入力する方法であって、
前記タッチパネル上のユーザによるなぞり操作を検知するステップと、
前記検知されたなぞり操作の方向及び速度を判断し、該方向及び速度に応じた再生機能を決定し、前記再生手段による動画再生を制御するステップ、
を具備することを特徴とするユーザ指示入力方法。
【請求項１７】
前記制御するステップは、前記検知されたなぞり操作に続き、位置の変化しないタッチ操作が検出された場合、前記方向及び速度に応じた再生処理を前記タッチ操作を検出している間継続して実行し、該タッチ操作が検出されなくなった場合、前記方向及び速度に応じた再生処理を解除するよう前記再生手段を制御することを特徴とする請求項１６記載のユーザ指示入力方法。
【発明の詳細な説明】
【０００１】
【発明の属する技術分野】
この発明は、入力手段にタッチパネルを有し、動画を記録再生できるデジタルスチルカメラ及びタッチパネルのなぞり操作に関する。
【０００２】
【従来の技術】
従来のデジタルスチルカメラでは、ストロボの設定、ズーム撮影等の設定、及び画像の送り、画像の拡大・縮小等の再生に関する操作を、カメラ本体の背面や上面に配置されたボタン類によって行う。カメラの高機能化及び小型化の要求が高まってきたときに、それら要求を同時に実現することは困難である。高機能化を実現するためには多くのボタン類を装備するか、操作メニューのネストを深くする必要がある。さらに小型化を実現するためには、ボタン類の数を減らして、操作メニューのネストをさらに深くする必要がある。
【０００３】
しかし、ボタン類の数を増やすことは小型化に不利となり、操作メニューのネストを深くすることは、操作性の低下につながる。そのため、機械的なボタン類の数を増やす代わりに、入力手段としてタッチパネルを用いたデジタルスチルカメラが開発された。タッチパネルはタッチ検出機能を有し、カメラ背面のＬＣＤ表示部前面に設けられる。ＬＣＤ表示部にメニューあるいはアイコンを表示させて、タッチしたメニューに相当する機能を実行させることができる。
【０００４】
【発明が解決しようとする課題】
しかし上記したようなタッチパネルは、単にボタンの機能を有するだけで、多機能使用時のメニューのネストの深さはボタン操作の場合とさほど変わらず、操作性の向上はあまり望めない。
【０００５】
最近では、動画を記録再生できるデジタルスチルカメラが普及し始めている。タッチパネルを用いたデジタルスチルカメラでも、タッチパネル上に表示されたアイコンがボタンと同じ役割をするため、アイコンの数が制限される。動画データのスロー或いはコマ送り再生等の様々の機能をカメラに搭載しようとすると、多くのアイコン又はボタンを必要とする。
【０００６】
デジタルスチルカメラの動画が近い将来ＭＰＥＧ４のような長時間記録を可能とする状況になった場合、動画再生に関する多機能性に対する要求は更に高まると考えられる。
【０００７】
従って本発明は、動画像を記録再生できるデジタルスチルカメラの多機能化と小型化と高い操作性を実現することを目的とする。
【０００８】
【課題を解決するための手段】
上記目的を達成するために本発明は、タッチパネルを用いたデジタルスチルカメラにおいて、タッチパネル上に表示されたアイコンを押すという操作だでなく、”なぞる”という操作形態を可能とし、より多くの機能と直感的な操作性による使い安さを実現する。
【０００９】
本発明の１実施形態に係るデジタルスチルカメラは、光学像を電気信号に変換する撮影手段と、前記撮影手段によって得られた動画像を動画ファイルとして記憶媒体に記録する記録手段と、前記記録手段により記録された動画像を再生する再生手段と、前記再生手段により再生された動画を表示する表示部と、前記表示手段の表示面を覆うようにして設けられ、ユーザ指示を入力するためのタッチパネルと、前記タッチパネル上のユーザによるなぞり操作を検知する検知手段と、前記検知手段により検知された前記なぞり操作の方向及び速度を判断し、該方向及び速度に応じた再生処理を決定し、前記再生手段による動画再生を制御する制御手段とを具備する。
【００１０】
【発明の実施の形態】
以下、この発明の実施形態について図面を参照して詳細に説明する。
【００１１】
図１は本発明が適用されるデジタルスチルカメラ１００の構成の一例を示すブロック図である。固体撮像素子１０１からの映像信号は前処理部１０２にて増幅及び濾波された後、Ａ／Ｄ変換器１０３にてデジタル信号に変換される。Ａ／Ｄ変換された信号は、処理部１０４にて信号処理され、画像データとしてメモリ１０５に記録される。撮影された画像が動画の場合、画像データはメモリ１０５に記録された後、ＪＰＥＧ等の圧縮方式で圧縮され、メディア１０７に動画ファイルとして記録される。メディア１０７は例えばメモリカードのような着脱可能な記録媒体である。例えば１６ＭＢのメディア１０７を用いて、１０分程度の動画記録再生が可能である。
【００１２】
処理部１０４は動画を再生するための複数の機能を有する動画再生部１０４ａを含む。動画再生部１０４ａは動画の標準再生のほか、早送り・巻戻し再生、スロー再生・スロー逆再生、倍速再生・倍速逆再生、コマ送り再生・逆コマ送り再生等の再生機能を有している。
【００１３】
マイコン１０６は本発明を含む制御プログラムを格納するＲＯＭ１０６ａ、及び作業エリアとして使用するＲＡＭ１０６ｂを含む。マイコン１０６はボタン類１０９又はタッチパネル１１０を介して入力されるユーザ指示に応じて装置各部を制御する。マイコン１０６はメモリ１０５に蓄えられた画像データをメディア１０７に書き込んだり、ＬＣＤ１０８に出力して画像を表示したり、メディア１０７に書き込まれた画像データを復号してＬＣＤ１０８に表示する。またマイコン１０６は、動画再生部１０４ａを制御して、メディア１０７に格納された動画ファイルを、標準動画再生、早送り再生あるいはスロー再生等様々な形態で再生する。
【００１４】
図２は図１に示したデジタルスチルカメラ１００の背面構成の一例を示す平面図である。カラーＬＣＤ１０８、タッチパネル１１０、十字キー１０９ａ、モードキー１０９ｂ等が配置されている。タッチパネル１１０はＬＣＤ１０８全面を覆うように設けられている。タッチパネル１１０に人の指先又はなぞりペンのような操作機器が接触（タッチ）すると、タッチパネル１１０は該接触部の座標を検出することができる。
【００１５】
タッチパネル１１０には、図に示すようなアイコンが表示される。各アイコンには動画再生における様々な機能が割り付けられており、タッチされたアイコンに応じて１つの機能が実行される。タッチパネル１１０に何も触れられていない時間が所定時間続いた場合、アイコンは非表示となる。そして、タッチパネル１１０上の任意の位置に指先等がタッチすると、再び図に示すようなアイコンが表示される。
【００１６】
図２（ａ）において、１０は再生アイコン、１１は終了アイコン、１２ａはコマ送りアイコン、１２ｂは逆コマ送りアイコン、１３はスライドバー、１４はカーソルである。図２（ｂ）において、１５は一時停止アイコン、１６ａは早送りアイコン、１６ｂは巻戻しアイコンである。
【００１７】
スライドバー１３は１つの動画ファイルを示し、カーソル１４は現在の再生位置を示す。例えば動画像が一時停止中（図２（ａ）参照）、スライドバー１３上の任意の位置に指先等がタッチすると、該接触位置に対応する動画ファイル中の画像フレーム（静止画）が表示される。また一時停止中、カーソル１４に指先を接触させ、スライドバー方向に指先をなぞると、動画のコマ送り再生が実行され、指先を離すと一時停止画面に戻る。
【００１８】
動画像の標準再生時（図２（ｂ）参照）、スライドバー１３上の任意の位置に指先等が触れると、該接触位置に対応する画像フレームから再生が再開される。「標準再生」とは、動画像を自然な速度で再生することを示す。また標準再生時、カーソル１４に指先を接触させ、スライドバー方向に指先をなぞると、動画の早送り・早戻し再生が実行され、指先を離すと標準再生画面に戻る。
【００１９】
図３及び図４はタッチパネル上のタッチ入力を検知し、対応する処理を実行するタッチ入力処理の一実施形態を示すフローチャートである。デジタルスチルカメラ１００は静止画記録モード、静止画再生モード、動画記録モード、動画再生モード等のモードを有する。本発明は動画再生モードに関する。
【００２０】
動画再生モードは、最後に記録あるいは再生された画像が動画であり、デジタルスチルカメラ１００のレンズカバー（図示されず）が閉じた状態で装置の電源が投入された場合に自動的に設定されるモードである。尚、この動画再生モードは、モードキー１０９ｂを操作することでも設定できる。
【００２１】
図３は標準動画再生時のタッチ入力処理を示す。
【００２２】
動画がＬＣＤ１０８に表示されているとき、タッチ入力が開始されると（Ｓ１０１）、マイコン１０６はスライドバー１３、カーソル１４、各種アイコンを表示する（Ｓ１０２）。マイコン１０６は僅かな所定時間後再びタッチされているか確認し（Ｓ１０３）、タッチされている場合は該接触部の座標（ｘ，ｙ）を取得する（Ｓ１０４）。
【００２３】
次にステップ１０５のように、マイコン１０６はステップ１０４で取得した接触部の座標から、アイコンがタッチされているか判別する（Ｓ１０５）。アイコンがタッチされていない場合、マイコン１０６はスライドバー１３がタッチされているか判断する（Ｓ１０６）。スライドバー１３がタッチされている場合、ステップ１０４で取得した座標位置にカーソル１４を移動し、該座標位置に対応する動画ファイル中の画像フレームから動画再生を開始する。
【００２４】
更にステップ１０８のように、マイコン１０６はタッチ入力が継続しているか判断し、継続している場合は入力座標を取得した後（Ｓ１０９）、ステップ１０７に戻り、接触位置にカーソルを移動し、動画ファイル中の対応する位置から動画再生を開始する。このように、標準動画再生のとき、スライドバーが指先等でなぞられると、動画は早送りされたように再生される。
【００２５】
ステップ１０１のように、タッチパネルがタッチさていない場合（ＮＯの場合）、マイコン１０６はタッチされない期間Ｔｎが所定時間Ｔｐを超えたか判断し（Ｓ１１０）、超えた場合、スライドバー１３、カーソル１４、各種アイコンを非表示とする（Ｓ１１１）。このように、タッチ入力が全くない時間Ｔｎが所定時間Ｔｐを超えると、アイコン等は表示されなくなる。
【００２６】
ステップ１０５のように、アイコンがタッチされている場合、マイコン１０６はタッチされたアイコンに対応する再生処理を再生部１０４ａを制御して実行する。例えば一時停止アイコン１５がタッチされると、ＬＣＤ１０８に表示されている動画は一時停止し、静止画が表示される。
【００２７】
図４は一時停止状態におけるタッチ入力処理を示す。
【００２８】
この処理は基本的に図３の処理と同様であるが、スライドバーがタッチされたときの処理が異なっている。即ち、ステップ２０６のように、スライドバーがタッチされると、マイコン１０６はタッチされた座標位置にカーソル１４を移動し、該座標位置に対応する動画ファイル内の画像フレーム（静止画）を再生する。更にステップ２０８のように、マイコン１０６はタッチ入力が継続しているか判断し、継続している場合は入力座標を取得してから（Ｓ２０９）ステップ２０７に戻り、接触位置にカーソルを移動し、動画ファイル中の対応する位置の画像ファイルを再生する。このように、一時停止状態のとき、スライドバーが指先等でなぞられると、動画はコマ送りされたように再生される。
【００２９】
次に本発明の第２の実施形態を説明する。本実施形態では、図２で示した各種アイコン、スライドバー１０、カーソル１１等は表示されず、なぞり操作のみで、スロー、コマ送り等各種再生機能が実行される。
【００３０】
図５は本実施形態に係る動作を示すフローチャートである。
【００３１】
タッチ入力が開始されると（Ｓ３０１）、マイコン１０６は接触部の座標（ｘ、ｙ）を取得する（Ｓ３０２）。僅かな所定時間後、マイコン１０６はタッチ入力が続いているか判定し（Ｓ３０３）、続いていれば再び入力座標を取得する（Ｓ３０４）。マイコン１０６はステップ３０２及び３０４で取得した座標に変化があるか判定し（Ｓ３０５）、変化がある場合（ステップ３０５でＮＯの場合）、再びタッチ入力が続いているか判定し（Ｓ３０３）、続いていれば再び入力座標を取得する（Ｓ３０４）。このように、取得した座標に変化がある限り、タッチされた位置の座標が所定時間おきに順次ＲＡＭ１０６ｂに記録される。
【００３２】
タッチパネルから指等が離れ、タッチ入力が終了すると（ステップ３０３でＮＯの場合）、マイコン１０６は上記で取得した複数の座標をもとに、接触位置の移動方向及び速度を計算し（Ｓ３０６）、算出した移動方向及び速度に対応する再生処理を再生部１０４ａにより実行する（Ｓ３０７）。この再生処理とは、メディア１０７に格納された動画像の早送り再生、スロー再生あるいは標準再生等の再生処理を示す。
【００３３】
ステップ３０５のように、取得した座標値に変化がない場合、つまりタッチパネル上の１点がタッチされ続けている場合、マイコン１０６は取得した複数の座標をもとに、接触位置の移動方向及び速度を計算し（Ｓ３０８）、算出した移動方向及び速度に対応する処理を実行する（Ｓ３０９）。更にマイコン１０６はタッチされ続けているか判定する（Ｓ３１０）。タッチパネルの任意の位置がタッチされ続けている限り、ステップ３０９において実行された再生処理が維持される。即ち、マイコン１０６は、前記方向及び速度に応じた再生処理が再生部１０４ａにより開始された後、タッチパネル上の任意の位置におけるタッチ操作が検出されている間、前記方向及び速度に応じた再生処理が継続して実行されるよう再生部１０４ａを制御する。タッチ入力が終了すると（ステップ３１０でＮＯの場合）、ステップ３０９において実行された再生処理が解除され、標準動画再生が行われる。
【００３４】
図６〜９は本実施形態に係るなぞり操作を示す図である。これらのなぞり操作は図５のステップ３０６、３０８又は３１０の判別結果を示す。図６〜９において、太い実線は比較的早いなぞり操作を示し、太い点線は比較的遅いなぞり操作を示す。ここで「早い」とは、ＬＣＤ１０８の例えば右端から左端までを１秒以下で横断するような速度を示し、「遅い」とは１秒より長い時間で横断するような速度を示す。また、矢印で示すなぞり操作は、矢印の終端（先端）でタッチ入力が終了した（指が離れた）なぞり操作を示し、黒丸で示すなぞり操作は、黒丸の位置でタッチ入力が継続している（タッチされ続けている）タッチ入力を示す。
【００３５】
図６は早送り及び巻戻しを示すなぞり操作である。図６（ａ）のように、タッチパネル１１０上を、指ないし操作機器（なぞりペン）により、左から右または、右から左に、長く、早くなぞることにより動画像の早送り・巻戻し操作が実行される。ここで「長くなぞる」とは、ＬＣＤ１０８の全幅の例えば１／２以上の距離をなぞることを示す。この早送り・巻戻し再生は、図６（ｃ）のようにタッチパネル１１０上の任意の１点をタッチするタップ操作により解除され、標準動画再生が行われる。尚、標準動画再生中にこのタップ操作を行うと、画像は停止され静止画が表示される。画像が停止中に再びタップ操作を行うと、停止状態が解除され標準動画再生が行われる。
【００３６】
また、図６（ｂ）のように、タッチパネル１１０上を、指ないし操作機器（なぞりペン）により、左から右または、右から左に、長く、早くなぞり、その後、指等をタッチパネル上から離さずに、押しつけた状態を維持することにより、動画像の早送り、巻戻し操作が維持され、離すことで前記動作が解除され、標準動画再生が行われる。
【００３７】
図７はスロー再生及びスロー逆再生を示すなぞり操作である。図７（ａ）のように、タッチパネル上を、指ないし操作機器（なぞりペン）により、左から右または、右から左に、長く、ゆっくりなぞることにより動画像のスロー再生・スロー逆再生操作が実行される。このスロー再生・スロー逆再生は、上記タップ操作により解除され、標準動画再生が行われる。
【００３８】
また、図７（ｂ）のように、タッチパネル１１０上を、指ないし操作機器（なぞりペン）により、左から右または、右から左に、長く、遅くなぞり、その後、指等をタッチパネル上から離さずに、押しつけた状態を維持することにより、動画像の早送り、巻戻し操作が維持され、離すことで前記動作が解除され、標準動画再生が行われる。
【００３９】
図８は倍速再生及び倍速逆再生を示すなぞり操作である。図８（ａ）のように、タッチパネル上を、指ないし操作機器（なぞりペン）により、左から右または、右から左に、短く、早くなぞることにより動画像の倍速再生・倍速逆再生操作が実行される。ここで「短くなぞる」とは、ＬＣＤ１０８の全幅の例えば１／２より短い距離をなぞることを示す。この倍速再生・倍速逆再生は、上記タップ操作により解除され、標準動画再生が行われる。
【００４０】
また図８（ｂ）のように、タッチパネル１１０上を、指ないし操作機器（なぞりペン）により、左から右または、右から左に、短く、早くなぞり、その後、指等をタッチパネル上から離さずに、押しつけた状態を維持することにより、動画像の倍速再生・倍速逆再生操作が維持され、離すことで前記動作が解除され、標準動画再生が行われる。
【００４１】
図９はコマ送り及びコマ戻しを示すなぞり操作である。図９（ａ）のように、タッチパネル上を、指ないし操作機器（なぞりペン）により、左から右または、右から左に、短く、遅くぞることにより動画像のコマ送り・コマ戻し操作が実行される。このコマ送り・コマ戻しは、上記タップ操作により解除され、標準動画再生が行われる。
【００４２】
また図９（ｂ）のように、タッチパネル１１０上を、指ないし操作機器（なぞりペン）により、左から右または、右から左に、短く、遅くなぞり、その後、指等をタッチパネル上から離さずに、押しつけた状態を維持することにより、動画像のコマ送り・コマ戻し操作が維持され、離すことで前記動作が解除され、標準動画再生が行われる。
【００４３】
【発明の効果】
以上説明したように本発明によれば、動画を記録再生できるデジタルスチルカメラにおいて、なぞり操作が可能となるため、機械的なボタン類を使用せずに、様々な動画再生機能を簡単で直感的に覚えることができる操作により実行できる。その結果、デジタルスチルカメラの多機能化・小型化が実現される。
【図面の簡単な説明】
【図１】本発明が適用されるデジタルスチルカメラ１００の構成の一例を示すブロック図。
【図２】タッチパネルを用いたデジタルスチルカメラの背面図の一例。
【図３】タッチパネル上のタッチ入力を検知し、対応する処理を実行するタッチ入力処理の一実施形態を示すフローチャート。
【図４】タッチパネル上のタッチ入力を検知し、対応する処理を実行するタッチ入力処理の実施形態を示すフローチャート。
【図５】第２の実施形態に係る動作を示すフローチャート。
【図６】第２の実施形態に係るなぞり操作を示す図。
【図７】第２の実施形態に係るなぞり操作を示す図。
【図８】第２の実施形態に係るなぞり操作を示す図。
【図９】第２の実施形態に係るなぞり操作を示す図。
【図１】
2004104594.tif 000003
【図２】
2004104594.tif 000004
【図３】
2004104594.tif 000005
【図４】
2004104594.tif 000006
【図５】
2004104594.tif 000007
【図６】
2004104594.tif 000008
【図７】
2004104594.tif 000009
【図８】
2004104594.tif 000010
【図９】
2004104594.tif 000011